(57)【要約】【課題】Ｕ字溝等の埋設構造物の下方を必要以上に掘り下げなくても下水道管路の伏せ越しを行えるようにして、施工の工期及びコストをより低減する。【解決手段】本発明に係る伏せ越しブロック１は、地下に埋設される埋設構造物６に対して面一に接続可能となるように、底部４とこの底部４の左右両端から上方に立ち上がる壁部５とを一体に有する断面に形成されたブロック本体２と、底部４内と両壁部５内の双方を通過するようにブロック本体２の内部に形成された伏せ越し管路３と、を備えている。【選択図】　　　図１
2004011339.tif 000002
【特許請求の範囲】
【請求項１】
地下に埋設される埋設構造物（６）に対して面一に接続可能となるように、底部（４）とこの底部（４）の左右両端から上方に立ち上がる壁部（５）とを一体に有する断面に形成されたブロック本体（２）と、
前記底部（４）内と前記両壁部（５）内の双方を通過するように前記ブロック本体（２）の内部に形成された伏せ越し管路（３）と、
を備えている伏せ越しブロック。
【請求項２】
伏せ越し管路（３）は壁部（５）の上面に形成した点検孔（７）に連通している請求項１に記載の伏せ越しブロック。
【請求項３】
壁部（５）は上下方向で分割された複数のブロック体（１４）を備えている請求項１又は２に記載の伏せ越しブロック。
【請求項４】
地下に埋設される埋設構造物（６）に対して面一に接続可能なブロック本体（２）の内部に伏せ越し管路（３）が形成されていることを特徴とする伏せ越しブロック。
【請求項５】
地下に埋設された埋設構造物（６）に対して面一に接続された請求項１〜４のいずれかに記載の伏せ越しブロック（１）と、このブロック（１）の一方の壁部（５）と汚水枡（９）の下部との間に配管された第一取付管（１１）と、同ブロック（１）の他方の壁部（５）と下水道本管（１０）との間に配管された第二取付管（１２）と、を備えている下水道設備。
【発明の詳細な説明】
【０００１】
【発明の属する技術分野】
本発明は、伏せ越しブロックとこれを用いた下水道設備に関するものである。
【０００２】
【従来の技術】
下水道設備は、各住居の敷地内に設置された汚水枡に取付管を接続し、この各取付管の下流側端を道路に埋設した下水道本管に接続することによって構成されており、この場合の取付管は、勾配が１％程度となる自然流下で配管されるのが一般的である。
【０００３】
しかし、例えば、図４に示すように、汚水枡２１と下水道本管２２との間にＵ字溝２３等の障害物が介在している場合がある。この場合において、取付管２４とＵ字溝２３との干渉を避けるために汚水枡２１や下水道本管２２の埋設深さを大きくすると（図４の破線参照）、それらを施工する際の掘削土量が増えるため、施工の工期とコストが増大することになる。
そこで、図４に実線状態で示すように、汚水枡２１と下水道本管２２の埋設深さはそのままにしておいて、Ｕ字溝２３の下方を迂回して通過する伏せ越し区間２５を取付管２４に設けるようにした下水道設備が既に開発されている。
【０００４】
【発明が解決しようとする課題】
上記従来の下水道設備では、取付管２４が伏せ越し区間２５においてＵ字溝２３の下方を迂回して通過するようになっているため、かかる伏せ越し区間２５を構築するために、Ｕ字溝２３だけを埋設する場合に比べてより深く地面を掘削する必要があり、この点で施工の工期及びコストをそれほど大きく低減することができなかった。
【０００５】
また、当該伏せ越し区間２５の内部には汚水２６が常に充満しているため、その区間２５に汚泥が堆積して取付管２４に詰まりが発生すると、その取付管２４から漏洩した汚水によって、土壌が汚染されたり周辺地域に臭気公害が発生する恐れもある。
【０００６】
本発明は、このような実情に鑑み、Ｕ字溝等の埋設構造物の下方を必要以上に掘り下げなくても下水道管路の伏せ越しを行えるようにして、施工の工期及びコストをより低減することを第一の目的とする。
また、本発明は、施工後に伏せ越し区間のメンテナンスを行えるようにして、土壌汚染や臭気公害を防止することを第二の目的とする。
【０００７】
【課題を解決するための手段】
上記第一の目的を達成すべく、本発明は次の技術的手段を講じた。
すなわち、本発明に係る伏せ越しブロックは、地下に埋設される埋設構造物に対して面一に接続可能なブロック本体の内部に伏せ越し管路が形成されていることを特徴とするものである。
【０００８】
より具体的には、本発明に係る伏せ越しブロックは、地下に埋設される埋設構造物に対して面一に接続可能となるように、底部とこの底部の左右両端から上方に立ち上がる壁部とを一体に有する断面に形成されたブロック本体と、前記底部内と前記両壁部内の双方を通過するように前記ブロック本体の内部に形成された伏せ越し管路と、を備えたものである。
【０００９】
上記の本発明によれば、埋設構造物に対して面一に接続可能なブロック本体の内部に伏せ越し管路が形成されているので、地下に埋設された埋設構造物に対して当該伏せ越しブロックを面一に接続し、そのブロックの一方の壁部と汚水枡の下部との間を第一取付管で配管するとともに、同ブロックの他方の壁部と下水道本管との間を第二取付管で配管することにより（例えば、図２参照）、従来のように埋設構造物の下方を必要以上に掘り下げなくても、下水道管路の伏せ越し配管を行うことができる。
【００１０】
一方、前記第二の目的を達成すべく、本発明に係る伏せ越しブロックでは、伏せ越し管路が壁部の上面に形成した点検孔に連通するようになっている。この場合、伏せ越しブロックの施工後においても、当該点検孔から伏せ越し管路のメンテナンスを行えるようになるので、伏せ越し管路に堆積する汚泥を定期的に清掃することにより、土壌汚染や臭気公害を未然に防止することができる。
【００１１】
また、本発明に係る伏せ越しブロックにおいて、壁部として、上下方向で分割された複数のブロック体を備えたものを採用すれば、そのブロック体の設置個数を変更することによって壁部の高さを調整でき、種々の断面高さの埋設構造物に適用できるようになる。
【００１２】
【発明の実施の形態】
以下、図面に基づいて、本発明の実施の形態を説明する。
図１に示すように、本実施形態の伏せ越しブロック１は、正面視ほぼＵ字状に形成されたブロック本体２と、このブロック本体２の内部に形成された伏せ越し管路３とから構成されている。
【００１３】
このうち、ブロック本体２は、底部４と、この底部４の左右両端から上方に立ち上がる壁部５を一体に有するプレキャストコンクリート製品よりなり、地下に埋設される埋設構造物の一種であるＵ字溝６と同一の断面形状に形成されている。このため、本実施形態の伏せ越しブロック１は、図１に示すように、地盤内に埋設されるＵ字溝６同士の間に介在させることにより、当該Ｕ字溝６に対して面一に接続可能となっている。
【００１４】
伏せ越し管路３は、ブロック本体２の正面形状に沿ってほぼＵ字状に屈曲しており、底部４の断面中央部を通過する横管部３Ａと、両壁部５の断面中央部を通過する縦管部３Ｂとを備えており、この縦管部３Ｂの下端部はアール管部３Ｒを介して横管部３Ａの端部に連通している。
この伏せ越し管路３における縦管部３Ｂの上端部分は、ブロック本体２の壁部５の上面に連通しており、かかる上端部分が当該伏せ越し管路３の内部に対する点検孔７とされている。
【００１５】
なお、かかる伏せ越し管路３は、塩ビ管や金属管をコンクリート内にインサート成形することによって形成することができ、このようにすれば、ブロック本体２のコンクリートがひび割れを起こしても、汚水の漏洩が防止できるという利点がある。
【００１６】
図２は、上記伏せ越しブロック１を用いた下水道設備を示している。
かかる下水道設備は、各住居の敷地内に設置された汚水枡９と、地下に埋設されたＵ字溝６に対して面一に接続された前記伏せ越しブロック１と、道路に埋設された下水道本管１０とを備えており、ブロック１の一方側（図２の右側）の壁部５と汚水枡９の下部との間に第一取付管１１が配管されている。また、同ブロック１の他方側（図２の左側）の壁部５と下水道本管１０との間に第二取付管１２が配管されている。
【００１７】
なお、図２に示すように、伏せ越しブロック１の点検孔７は、施工後には栓体１３よって着脱自在に閉塞されている。また、各取付管１１，１２の壁部５に対する接続作業は、伏せ越し管路３に到達する取付孔を施工現場において当該壁部５に対して穿孔し、この取付孔に各取付管１１，１２を水密的に挿入することによって行うことができる。
【００１８】
このように、本実施形態の伏せ越しブロック１によれば、Ｕ字溝６に対して面一に接続可能なブロック本体２の内部に伏せ越し管路３が形成されているので、地下に埋設されたＵ字溝６に面一に接続された当該伏せ越しブロック１の伏せ越し管路３を利用して配管を行うことにより、従来のようにＵ字溝６の下方を必要以上に掘り下げなくても、下水道管路の伏せ越し配管を行うことができる。
【００１９】
また、本実施形態の伏せ越しブロック１によれば、伏せ越し管路３の点検孔７が壁部５の上端部に形成されているので、当該点検孔７から伏せ越し管路３のメンテナンスを行うことができる。このため、伏せ越し管路３に堆積する汚泥を定期的に清掃することで、土壌汚染や臭気公害を未然に防止することができる。
【００２０】
図３は、伏せ越しブロック１における壁部５の変形例を示している。
すなわち、この場合の壁部５は、その上部が上下方向で分割された複数のブロック体１４（図例では３個）よりなり、この各ブロック体１４の内部には伏せ越し管路３を構成する貫通孔１５が形成されている。なお、壁部５の最上部は、孔無しの蓋用ブロック体１６で閉塞されている。
この変形例に係る伏せ越しブロック１によれば、上記ブロック体１４の設置個数を変更することによって壁部５の高さを調整することができるので、種々の断面高さのＵ字溝６に適用できるという利点がある。
【００２１】
なお、本発明は上記実施形態に限定されるものではない。
例えば、本発明の伏せ越しブロック１は、Ｕ字溝６と同じ断面形状のブロック本体２だけではなく、ボックス断面や円形断面等のＵ字溝６以外の埋設構造物とと同じ断面形状のブロック本体を採用することもできる。
【００２２】
【発明の効果】
以上説明したように、本発明によれば、Ｕ字溝等の埋設構造物の下方を必要以上に掘り下げなくても下水道管路の伏せ越し配管を行うことができるので、施工の工期及びコストを低減することができる。
【００２３】
また、本発明によれば、施工後に伏せ越し管路のメンテナンスを行うことができるので、土壌汚染や臭気公害を有効に防止することができる。
【図面の簡単な説明】
【図１】本発明に係る伏せ越しブロックの斜視図である。
【図２】同伏せ越しブロックを用いた下水道設備の断面図である。
【図３】壁部の変形例を示すための断面図である。
【図４】従来の下水道設備の断面図である。
【符号の説明】
１　　　伏せ越しブロック
２　　　ブロック本体
３　　　伏せ越し管路
４　　　底部
５　　　壁部
６　　　Ｕ字溝（埋設構造物）
７　　　点検孔
９　　　汚水枡
１０　　　下水道本管
１１　　　第一取付管
１２　　　第二取付管
１４　　　ブロック体
【図１】
2004011339.tif 000003
【図２】
2004011339.tif 000004
【図３】
2004011339.tif 000005
【図４】
2004011339.tif 000006